(57)【要約】【課題】地物に対応するアイコン又はマークを地図と共に表示する場合に、表示されている地図の地理的な範囲外にあるが推薦されるべき地物の存在又は位置を使用者が容易に認識することが可能な表示制御装置を提供する。【解決手段】ディスプレイＤを用いた使用者への提示の対象である地物の当該提示における推薦度を示す推薦度データを取得するインターフェース１と、アイコン等を用いてディスプレイＤにより地図と共に地物の使用者への提示を行う場合であって、ディスプレイＤに現在表示されている地図の地理的な範囲外に、提示されるべき推薦度を有する地物があるとき、当該範囲外の当該地物の存在又は位置を示すマーカと、当該範囲外の地物を示すアイコン等と、をディスプレイＤに表示させる表示制御部２と、を備える。【選択図】図２
2017044873.tif 000002
【特許請求の範囲】
【請求項１】
使用者への地物の推薦度を示す推薦度情報を取得する取得手段と、
前記推薦度情報に基づいて決定された前記地物を示すアイコン又はマークを地図と共に表示手段に表示させる場合であって、前記表示手段に現在表示されている前記地図の地理的な範囲外に前記決定された地物があるとき、当該範囲外に当該地物が存在することを示す目印画像と、当該範囲外の当該地物を示す前記アイコン又はマークと、を前記表示手段に表示させる表示制御手段と、
を備えることを特徴とする表示制御装置。
【請求項２】
請求項１に記載の表示制御装置において、
前記表示制御手段は、前記取得した推薦度情報が予め設定された閾値以上の前記地物のみ、当該地物に対応する前記目印画像及び前記アイコン又はマークの表示対象とすることを特徴とする表示制御装置。
【請求項３】
請求項１又は請求項２のいずれか一項に記載の表示制御装置において、
前記表示制御手段は、実際に存在する案内標識と同じ形態を有する前記目印画像であって、前記範囲外に存在する前記地物の位置までの方向を示す矢印と前記地物を示すアイコン又はマークを含む前記目印画像を前記表示手段に表示させることを特徴とする表示制御装置。
【請求項４】
請求項３に記載の表示制御装置において、
前記表示制御手段は、前記位置に対応した距離及び地名を含む前記目印画像を前記表示手段に表示させることを特徴とする表示制御装置。
【請求項５】
請求項１から請求項４のいずれか一項に記載の表示制御装置において、
前記表示されている目印画像、或いは前記範囲外に存在する前記地物を示す前記アイコン又はマーク、を選択するために用いられる選択手段を更に備え、
前記表示制御手段は、前記表示されている目印画像或いはアイコン又はマークが選択されたとき、当該選択された目印画像或いはアイコン又はマークに対応する前記地物の位置が前記表示手段の表示範囲内となるように、前記地図を更新して表示させることを特徴とする表示制御装置。
【請求項６】
請求項５に記載の表示制御装置において、
前記表示制御手段は、前記選択手段を用いた前記目印画像或いはアイコン又はマークの選択が継続されている期間のみ、更新後の前記地図を前記表示手段に表示させることを特徴とする表示制御装置。
【請求項７】
請求項１から請求項６のいずれか一項に記載の表示制御装置において、
前記使用者の視線位置を検出する視線位置検出手段を更に備え、
前記視線位置が前記表示手段上であることが検出されたとき、前記表示制御手段は、前記目印画像及び前記範囲外の前記地物を示す前記アイコン又はマークの前記表示手段における表示を開始させることを特徴とする表示制御装置。
【請求項８】
請求項７に記載の表示制御装置において、
前記目印画像及び前記アイコン又はマークの表示開始後に前記視線位置が前記表示手段以外の位置となったことが検出されたとき、前記表示制御手段は、前記視線位置の変化以後予め設定された時間経過後に前記目印画像及び前記アイコン又はマークの前記表示手段による表示を終了させることを特徴とする表示制御装置。
【請求項９】
請求項１から請求項８のいずれか一項に記載の表示制御装置において、
前記表示制御手段は、前記範囲内に位置する前記地物を示す前記アイコン又はマークの表示態様と、前記範囲外の前記地物を示す前記アイコン又はマークの表示態様と、を相対的に異ならせて各前記アイコン又はマークを前記表示手段に表示させることを特徴とする表示制御装置。
【請求項１０】
請求項１から請求項９のいずれか一項に記載の表示制御装置において、
前記範囲外の前記地物を示す前記アイコン又はマークがあるとき、前記表示制御手段は、前記範囲内に位置する前記地物を示す前記アイコン又はマークの表示を禁止することを特徴とする表示制御装置。
【請求項１１】
使用者への地物の推薦度を示す推薦度情報を取得する取得工程と、
前記推薦度情報に基づいて決定された前記地物を示すアイコン又はマークを地図と共に表示手段に表示させる場合であって、前記表示手段に現在表示されている前記地図の地理的な範囲外に前記決定された地物があるとき、当該範囲外に当該地物が存在することを示す目印画像と、当該範囲外の当該地物を示す前記アイコン又はマークと、を前記表示手段に表示させる表示制御工程と、
を含むことを特徴とする表示制御方法。
【請求項１２】
コンピュータを、請求項１から請求項１０のいずれか一項に記載の表示制御装置として機能させることを特徴とする表示制御用プログラム。
【発明の詳細な説明】
【技術分野】
【０００１】
本願は、表示制御装置及び表示制御方法並びに表示制御用プログラムの技術分野に属する。より詳細には、液晶ディスプレイ等の表示手段における表示を制御する表示制御装置及び表示制御方法並びに当該表示制御装置用のプログラムの技術分野に属する。
【背景技術】
【０００２】
近年、地図データや外部からの渋滞データ等に基づいて車両等の移動体の移動を案内するナビゲーション装置が広く一般化している。このとき当該案内においては、液晶ディスプレイ等からなるディスプレイ上に上記地図データに基づいた地図が表示されることが多い。更に当該地図内には、使用者の目的や意図に応じた様々な施設や地点を示すアイコンやマークが、当該施設や地点の実際の位置に対応した当該地図上の位置に表示される。なお以下の説明において、上記施設や地点を纏めて「地物」と称する。また、このようなアイコンやマークの表示に関する従来技術を示す先行技術文献としては、例えば下記特許文献１が挙げられる。この特許文献１に記載されている従来技術では、車両の運転者の嗜好の変化や利用時間帯に応じて、当該運転者に対して推薦される地物を示すアイコン表示を行う構成とされている。
【先行技術文献】
【特許文献】
【０００３】
【特許文献１】特開２００６−２５１７２０号公報
【発明の概要】
【発明が解決しようとする課題】
【０００４】
しかしながら上記特許文献１に記載されている従来技術では、現在ディスプレイに表示されている地図の地理的範囲内にある地物の範囲内でのみ、上記推薦対象の地物のアイコンやマークが表示されるに過ぎない。従って、その運転者に推薦されるべき地物が上記地理的範囲外にあったとしても、その存在を運転者に認識させることができないという問題点があった。
【０００５】
そこで本願は、上記の問題点に鑑みて為されたもので、その課題の一例は、地物に対応するアイコン又はマークを地図と共に表示する場合に、表示されている地図の地理的な範囲外にあるが推薦されるべき地物の存在又は位置を使用者が容易に認識することが可能な表示制御装置及び表示制御方法並びに当該表示制御装置用のプログラムを提供することにある。
【課題を解決するための手段】
【０００６】
上記の課題を解決するために、請求項１に記載の発明は、使用者への地物の推薦度を示す推薦度情報を取得する取得手段と、前記推薦度情報に基づいて決定された前記地物を示すアイコン又はマークを地図と共に表示手段に表示させる場合であって、前記表示手段に現在表示されている前記地図の地理的な範囲外に前記決定された地物があるとき、当該範囲外に当該地物が存在することを示す目印画像と、当該範囲外の当該地物を示す前記アイコン又はマークと、を前記表示手段に表示させる表示制御手段と、を備える。
【０００７】
上記の課題を解決するために、請求項１１に記載の発明は、使用者への地物の推薦度を示す推薦度情報を取得する取得工程と、前記推薦度情報に基づいて決定された前記地物を示すアイコン又はマークを地図と共に表示手段に表示させる場合であって、前記表示手段に現在表示されている前記地図の地理的な範囲外に前記決定された地物があるとき、当該範囲外に当該地物が存在することを示す目印画像と、当該範囲外の当該地物を示す前記アイコン又はマークと、を前記表示手段に表示させる表示制御工程と、を含む。
【０００８】
上記の課題を解決するために、請求項１２に記載の発明は、コンピュータを、請求項１から請求項１０のいずれか一項に記載の表示制御装置として機能させる。
【図面の簡単な説明】
【０００９】
【図１】実施形態に係る表示制御装置の概要構成を示すブロック図である。
【図２】実施例に係る地図表示制御装置の概要構成を示すブロック図である。
【図３】実施例に係る地図表示制御処理を示すフローチャートである。
【図４】実施例に係る地図表示制御処理の対象となる地図表示を例示する図である。
【図５】実施例に係るアイコン等の表示例を示す図（Ｉ）である。
【図６】実施例に係るアイコン等の表示例を示す図（II）である。
【図７】第１変形例に係るアイコン等の表示例を示す図である。
【発明を実施するための形態】
【００１０】
次に、本願を実施するための形態について図１を用いて説明する。なお図１は、実施形態に係る表示制御装置の概要構成を示すブロック図である。
【００１１】
図１に示すように、実施形態に係る表示制御装置Ｓは表示手段Ｄに接続されており、取得手段１と、表示制御手段２と、を備えて構成されている。
【００１２】
この構成において取得手段１は、使用者への地物の推薦度を示す推薦度情報を取得する。
【００１３】
そして表示制御手段２は、地図と共に推薦度情報に基づいて決定された地物を示すアイコン又はマークを表示手段Ｄに表示させる場合であって、表示手段Ｄに現在表示されている地図の地理的な範囲外に、推薦情報に基づいて決定された地物があるとき、当該範囲外に当該地物が存在することを示す目印画像と、当該範囲外の当該地物を示すアイコン又はマークと、を表示手段Ｄに表示させる。
【００１４】
以上説明したように、実施形態に係る表示制御装置Ｓの動作によれば、アイコン等を用いて表示により地図と共に地物を示すアイコン又はマークを提示する場合であって、現在表示されている地図の地理的な範囲外に、提示されるべき推薦度の地物があるとき、当該範囲外の地物の存在を示す目印画像と、当該範囲外の地物を示すアイコン等と、を表示させる。よって、表示されている地図の範囲外にあるが推薦されるべき地物の存在又は位置を、使用者が容易に認識することができる。
【実施例】
【００１５】
次に、上述した実施形態に対応する具体的な実施例について、図１乃至図７を用いて説明する。なお以下に説明する実施例は、車両の移動を案内するナビゲーション装置に含まれる地図表示制御装置であって、当該案内用の地物が存在する地図上の位置にその地物を示すアイコン又はマークを表示する機能を備える地図表示制御装置に対して本願を適用した場合の実施例である。
【００１６】
また、図２は実施例に係る地図表示制御装置の概要構成を示すブロック図であり、図３は実施例に係る地図表示制御処理を示すフローチャートであり、図４は当該地図表示制御処理の対象となる地図表示を例示する図である。更に、図５及び図６は実施例に係るアイコンの表示例をそれぞれ示す図である。このとき図２では、図１に示した実施形態に係る表示制御装置Ｓにおける各構成部材に対応する実施例の構成部材それぞれについて、当該表示制御装置Ｓにおける各構成部材と同一の部材番号を用いている。
【００１７】
図２に示すように、実施例に係る地図表示制御装置ＮＶは、インターフェース１と、ＣＰＵ、ＲＡＭ（Random Access Memory）及びＲＯＭ（Read Only Memory）等からなる推薦度データ生成部１０及び表示制御部２と、ＨＤＤ（Hard Disc Drive）又はＳＳＤ（Solid State Drive）等に不揮発性に記録されているデータベースＤＢと、液晶ディスプレイ等からなるディスプレイＤと、ＣＣＤ（Charge-Coupled Device）素子又はＣＭＯＳ（Complementary Metal Oxide Semiconductor）素子等からなる撮像素子を含む視線カメラ１１と、操作ボタン又はリモコン等からなる操作部１２と、により構成されている。このとき、上記インターフェース１、表示制御部２及び推薦度データ生成部１０は、上記ＣＰＵ等を含むハードウェアロジック回路を用いて実現されてもよいし、或いは、後述する実施例に係る地図表示制御処理に相当するプログラムを上記ＣＰＵ等が読み出して実行することにより、ソフトウェア的に実現されるものであってもよい。
【００１８】
また上記の構成において、ディスプレイＤが本願に係る「表示手段」の一例に相当し、インターフェース１が実施形態に係る取得手段１の一例に相当し、表示制御部２が実施形態に係る表示制御手段２の一例に相当する。更に、操作部１２が本願に係る「選択手段」の一例に相当し、視線カメラ１１が本願に係る「視線位置検出手段」の一例に相当する。そして、上記インターフェース１及び表示制御部２により実施形態に係る表示制御装置Ｓの一例を構成している。更に、上記地図表示制御装置ＮＶが含まれるナビゲーション装置としては、図２に示す地図表示制御装置ＮＶの構成に加えて、図示しないＧＰＳ（Global Position System）測位部、ルート設定部及び案内音声出力部（スピーカ）等を備えている。
【００１９】
次に、実施例に係る地図表示制御装置ＮＶの動作について、図２乃至図７を用いて説明する。なお図３に示すフローチャートにより示される実施例に係る地図表示制御処理は地図制御部２を中心として実行される処理であり、例えば上記操作部１２において地図をディスプレイＤに表示すべき操作が実行されたタイミング等から開始される。
【００２０】
先ず上記データベースＤＢには、ディスプレイＤに表示されるべき地図に相当する地図データと、当該地図に含まれてディスプレイＤに表示される道路上の既定の点を示すノードのノードデータと、当該ノード同士を接続し且つ上記道路に対応するリンクデータと、上記地図に含まれる地物の当該地図上の位置を示す位置データと、地物を当該地図上に表示する際に使用され且つ当該地物を示すアイコン又はマークに相当するアイコンデータと、が、予め記録されている。なお以下の説明において、上記アイコン又はマークを、単に「アイコン等」と称する。
【００２１】
次に上記視線カメラ１１は、実施例に係る地図表示制御装置ＮＶが搭載されているナビゲーション装置を操作する使用者の視線及びその到達位置（視線位置）を検出し、当該検出結果を表示制御部２に出力する。
【００２２】
一方上記推薦度データ生成部１０は、上記地図に含まれる地物の、使用者への提示における推薦度を示す実施例に係る推薦度データを生成する。
この推薦度データが本願に係る「推薦度情報」の一例に相当する。このとき推薦度データは例えば、「０」から「１００」までの値を有し、使用者への提示の推薦度が高いほど大きい値とされて生成される。このとき当該推薦度データは例えば、当該使用者の普段の行動範囲においてよく訪れる地物等の履歴データ（当該履歴データは、例えばデータベースＤＢに予め記録されている。）や、地図表示制御装置ＮＶが搭載されている車両の現在位置を示すデータ等に基づいて、推薦度データ生成部１０により生成される。
【００２３】
そしてインターフェース１は、表示制御部２からの要求に基づいて、地図としてのディスプレイＤに表示すべき地物に対応する上記推薦度データを推薦度データ生成部１０から取得する（図３ステップＳ１）。その後、上記生成された推薦度データが高い順に所定の数（例えば、四つ）の地物を決定する。これに加えてインターフェース１は、同様に表示制御部２からの要求に基づいて、当該決定された地物を示すアイコンをディスプレイＤに表示するためのアイコンデータと、をデータベースＤＢから取得する。そしてインターフェース１は、当該取得した推薦度データ及びアイコンデータを表示制御部２に出力する。
【００２４】
これらにより表示制御部２は、ディスプレイＤに表示すべき地図に相当する地図データと、当該地図と共にディスプレイＤに表示すべき地物を示すアイコンデータと、を用いて、当該地図をディスプレイＤに表示する。この際に表示制御部２は、上記推薦度に基づいてアイコン等の表示態様を制御する（図３ステップＳ２）。なお、ステップＳ２の地図表示制御処理については、後ほど纏めて説明する。
【００２５】
その後表示制御部２は、例えばディスプレイＤにおける地図表示を表示する終了する操作が操作部１２において実行されたか否かを確認する等により、実施例に係る地図表示制御処理を終了するか否かを判定する（ステップＳ３）。ステップＳ３の判定において、当該地図表示制御処理を終了する場合、表示制御部２は上記ナビゲーション装置としての他の処理に移行する。一方ステップＳ３の判定において、未だアイコン等を表示していない他の地物がある等の理由により実施例に係る地図表示制御処理を継続する場合（ステップＳ３；ＮＯ）、地図制御部３は当該他の地物について実施例に係る地図表示制御処理を実行すべく上記ステップＳ１に戻る。
【００２６】
次に、上記ステップＳ２のアイコン等の表示制御処理について、より具体的に図４乃至図７を用いて説明する。
【００２７】
先ず、図４に例示する地図ＭＰをディスプレイＤに表示すべき旨が、例えば図示しない操作部における操作により指定されたとする。このとき地図ＭＰでは、例えばＡレンタルビデオ店を示すアイコンＴＵと、Ｂハンバーガーショップを示すアイコンＭＡと、Ｄコーヒー店を示すアイコンＳＢと、が、当該Ａレンタルビデオ店と、Ｂハンバーガーショップ及びＤコーヒー店それぞれの位置に相当する地図ＭＰ上の位置に、それぞれ表示される。これに加えて、上記推薦度データに基づいて使用者に提示すべき地物としてＣ牛丼店であるが、その位置は、図４に例示するアイコンＳＫで示される位置であり、この位置は現在のディスプレイＤに表示されている地図の地理的な範囲外であるとする。
【００２８】
このとき地図制御部２は、図３ステップＳ２のアイコン等表示制御処理として、例えば図５に示すように、推薦されるべきＣ牛丼店の存在、及び現在表示されている地図ＭＰから見た当該Ｃ牛丼店の（地理的な）位置までの方向を示す矢印形のマーカＡＲと、当該Ｃ牛丼店を示すアイコンＳＫと、を、当該Ｃ牛丼店の位置を示すのに好適な位置に表示する。このとき当該「好適な位置」の例としては、例えば、マーカＡＲの矢印により示される方向に地図ＭＰを辿っていくと、アイコンＳＫにより示されるＣ牛丼店の実際の位置に到達するようなマーカＡＲの表示位置が挙げられる。これにより図５に例示する地図ＭＰを見た使用者は、例えば当該地図ＭＰにおいて上方向に移動すれば、推薦されているＣ牛丼店が存在していることを認識する。
【００２９】
そして、操作部１２における操作によりマーカＡＲ又はアイコンＳＫが選択された場合に地図制御部２は、上記ステップＳ２のアイコン等表示制御処理として、アイコンＳＫにより示されるＣ牛丼店が地図ＭＰとしての表示範囲内に入るように、当該地図ＭＰをスクロールさせるか、又は当該地図ＭＰの縮尺を変更させる。この結果、図５に例示する場合において地図ＭＰの縮尺を変更してＣ牛丼店が地図ＭＰの表示範囲内とした結果を図６に例示する。この図６では、図５の状態において地図ＭＰの表示範囲外であったＣ牛丼店を示すアイコンＳＫがその表示範囲内に表示されている。更にこのとき表示制御部２は、図５の段階で表示していた上記マーカＡＲ及び（仮の）アイコンＳＫを消去し、Ｃ牛丼店の実際の位置に対応する地図ＭＰ上の位置にアイコンＳＫが改めて表示させる。
【００３０】
ここで表示制御部２は、図５に例示する表示状態から図６に例示する表示状態への遷移を、例えば操作部１２によるマーカＡＲ又はアイコンＳＫの選択操作が継続されている場合に継続して行うように構成してもよいし、当該選択後予め設定された時間のみ行うように構成してもよい。そして、図６に例示する表示状態の表示終了後は、元の図５に例示する表示状態に戻ってもよいし、他の表示状態に更に遷移してもよい。
【００３１】
更に表示制御部２は、上記ステップＳ２のアイコン等表示制御処理として、視線カメラ１１により検出された視線位置がディスプレイＤ上にあるときのみ、図５に例示する表示状態で地図ＭＰを表示するように構成してもよい。この場合に地図制御部２は、視線位置がディスプレイＤ上から離れた場合、当該離れたタイミングに、又は当該タイミングから予め設定された時間の経過後に、表示されているマーカＡＲ又はアイコンＳＫを地図ＭＰ上から消去するように構成してもよい。
【００３２】
以上それぞれ説明したように、実施例に係る地図表示制御処理によれば、アイコン等を用いて表示により地図ＭＰと共に地物を提示する場合であって、現在表示されている地図ＭＰの地理的な範囲外に、提示されるべき推薦度のＣ牛丼店があるとき、当該Ｃ牛丼店の存在及び位置を示すマーカＡＲと、当該Ｃ牛丼店を示すアイコンＳＫと、を表示させるので、表示されている地図の範囲外にあるが推薦されるべきＣ牛丼店の存在又は位置を、使用者が容易に認識することができる。
【００３３】
また、マーカＡＲ或いはアイコンＳＫが操作部１２により選択されたとき、当該選択されマーカＡＲ又はアイコンＳＫに対応するＣ牛丼店の位置が表示範囲内となるように地図ＭＰを更新して（即ち、スクロール又は縮尺変更させて）表示させるので、選択されたマーカＡＲ等に対応するＣ牛丼店の地理的な位置を認識可能に表示させることができる。
【００３４】
更に、マーカＡＲ又はアイコンＳＫの選択が継続されている期間のみ更新後の地図ＭＰ（図６参照）を表示させる場合は、必要とされる期間のみ、地図ＭＰを更新してＣ牛丼店の位置を確認させることができる。
【００３５】
更にまた、使用者の視線位置がディスプレイＤ上であることが検出されたときマーカＡＲ及びアイコンＳＫの表示を開始させる場合は、必要なときだけ当該マーカＡＲ等を表示させることができる。
【００３６】
また、マーカＡＲ及びアイコンＳＫの表示開始後に視線位置がディスプレイＤ以外の位置となったとき、当該視線位置の変化以後にマーカＡＲ等の表示を終了させる場合は、使用者が視認可能な期間のみ、当該マーカＡＲ等を表示させることができる。
【００３７】
[変形例]
次に、上述した実施形態に対応する変形例について説明する。
【００３８】
（Ｉ）第１変形例
先ず図７を用いて第１変形例について説明する。なお図７は、第１変形例に係るアイコン等の表示例を示す図である。
【００３９】
当該第１変形例として、図７に例示するように現在位置マークＣＰにより示される車両の現在位置前方の交差点ＣＲから右折した方向の地図ＭＰの表示範囲外にアイコンＳＫにより示され且つ推薦対象のＣ牛丼店があり、また交差点ＣＲから左折した方向の地図ＭＰの表示範囲外にアイコンＭＡにより示され且つ推薦対象のＢハンバーガーショップがあるとする。この場合に表示制御部２は、図３ステップＳ２のアイコン等表示制御処理として、実施例に係るマーカＡＲ及び（仮の）アイコンＳＫ等（図５参照）を表示するのではなく、実際に存在する案内標識（国道等の路側に設置されている、いわゆる青看板。より具体的には国土交通省ＨＰ（ＵＲＬ：http://www.mlit.go.jp/road/sign/sign/douro/road-sign.htm）等参照。）と同じ形態の指示表示ＫＢであって、当該案内標識内の地名に代えてアイコンＭＡ及びアイコンＳＫを含み、且つアイコンＭＡ及びアイコンＳＫによりそれぞれ示されるＢハンバーガーショップ及びＣ牛丼店の位置の方向を上記案内標識内の矢印として含む指示表示ＫＢをディスプレイＤに表示させるように構成してもよい。この場合、図７に例示する指示表示ＫＢ内の右方向矢印及び左方向矢印が、それぞれ、実施例に係るマーカＡＲ（Ｂハンバーガーショップ及びＣ牛丼店をそれぞれ示すマーカＡＲ）に相当する。この第１変形例の場合には、周知の案内標識と同じ形態でアイコンＭＡ等及びＢハンバーガーショップ等の存在方向が表示されるので、推薦されるべき地物の存在又は位置を周知の形態で判り易く表示させることができる。
【００４０】
なお第１変形例において、Ｂハンバーガーショップ等までの現在位置からの距離、及び、当該Ｂハンバーガーショップ等が存在する地名を指示表示ＫＢに合わせて表示してもよい。この場合には、指示表示ＫＢと共にＢハンバーガーショップ等の位置に対応した距離又は地名が合わせて表示されるので、推薦されるべき地物の存在又は位置をより判り易く表示させることができる。
【００４１】
（II）第２変形例
次に第２変形例として表示制御部２は、インターフェース１を介して取得した推薦度データ（絶対値又は相対値）が予め設定された閾値以上の地物のみ、当該地物に対応するマーカＡＲ及びアイコン等の表示対象としてもよい。この場合には、推薦度データが既定の閾値以上の地物のみがマーカＡＲ及びアイコン等の表示対象とされるので、推薦度の順番として上位であっても、推薦度の値として低い地物はマーカＡＲ等の表示対象外となり、不必要なマーカＡＲ等の表示を防止できる。なお、この処理は、地図ＭＰの表示範囲外に存在する地物のみに対して適用してもよい。より具体的には、推薦度の順番が上位四つの地物を表示するよう設定されていた場合に、その地物の地理的な位置が表示されている地図ＭＰの範囲内である場合には、推薦度データが規定の閾値以下であってもその地物を示すアイコン等を表示するように構成することができる。これに対して、推薦度の順番が上位四つの地物であって、その地物の地理的な位置が表示されている地図ＭＰの範囲外である場合には、その地物の推薦度データが規定の閾値以下であれば、表示対象外とするように構成することができる。
【００４２】
（III）第３変形例
次に第３変形例として表示制御部２は、地図ＭＰの表示範囲内に位置する地物を示すアイコン等の表示態様（表示上の形状や模様又は色等をいう。以下、同じ。）と、マーカＡＲと共に表示される地図ＭＰの表示範囲外に位置する地物を示すアイコン等の表示態様と、を相対的に異ならせてアイコン等をディスプレイＤに表示させるように構成してもよい。この場合には、地図ＭＰの表示範囲内に位置する地物を示すアイコン等の表示態様と、マーカＡＲと共に表示されるアイコン等の表示態様と、が相対的に異ならせて表示されるので、表示されている地図ＭＰの地理的な範囲外にある地物と当該範囲内にある地物とを区別して認識させることができる。
【００４３】
（IV）第４変形例
最後に第４変形例として表示制御部２は、マーカＡＲと共に表示させる地物を示すアイコン等があるとき、地図ＭＰの表示範囲内に位置する地物を示すアイコン等の表示を禁止するように構成してもよい。この場合は、マーカＡＲと共に表示させるアイコン等があるとき、地図ＭＰの表示範囲内に位置する地物を示すアイコン等の表示が禁止されるので、マーカＡＲ及び（仮の）アイコン等（図５参照）の視認性を高めて表示させることができる。なお、推薦度データに基づいて決定された地物を示すアイコン等を地図ＭＰに表示する場合には、推薦度データに基づいて決定されない地図ＭＰ内の表示範囲内に位置する地物を示すアイコン等の表示を禁止するように構成してもよい。より具体的には、推薦度の順番が上位四つの地物を表示するよう設定されていた場合に、その地物を示すアイコン等を表示し、地図ＭＰの表示範囲内に位置するその他の地物のアイコン等の表示を禁止する。
【００４４】
（Ｖ）他の変形例
その他の変形例として、マーカＡＲを表示するのではなく、現在表示している地図の表示範囲外に存在する地物のアイコン等を表示させるように、地図ＭＰの縮尺を自動的に変更するか、或いは地図ＭＰを自動的にスクロールさせるように構成してもよい。
【００４５】
また、図３に示したフローチャートに相当するプログラムを、光ディスク又はハードディスク等の記録媒体に記録しておき、或いはインターネット等のネットワークを介して取得しておき、これを汎用のマイクロコンピュータ等に読み出して実行することにより、当該マイクロコンピュータ等を実施例に係る表示制御部２として機能させることも可能である。
【符号の説明】
【００４６】
１    取得手段（インターフェース）
２    表示制御手段（表示制御部）
１０    推薦度データ生成部
Ｄ    表示手段（ディスプレイ）
Ｓ    表示制御装置
ＮＶ    地図表示制御装置
ＭＰ    地図
ＴＵ、ＳＫ、ＭＡ、ＳＢ    アイコン
ＡＲ    マーカ
【図１】
2017044873.tif 000003
【図２】
2017044873.tif 000004
【図３】
2017044873.tif 000005
【図４】
2017044873.tif 000006
【図５】
2017044873.tif 000007
【図６】
2017044873.tif 000008
【図７】
2017044873.tif 000009